(57)【特許請求の範囲】
【請求項１】
原稿画像を読み取る画像読取部と、記録シートに記録画像を形成する作像部とを有し、該作像部は前記画像読取部よりも下方に配置され、該画像読取部と作像部との間に、作像部にて記録画像が形成された記録シートを積載するシート積載部が配置されていて、画像形成装置本体手前側のシート積載部領域と、画像形成装置本体幅方向の一方の端部側のシート積載部領域とが開放された状態で、前記画像読取部のケースが本体ベースに固定支持されている画像形成装置において、
前記画像読取部のケースの画像形成装置本体幅方向における一方の端部側の部分が、前記本体ベースに固定されたステーに固定支持され、該ステーは、本体ベースに固定された固定部から画像形成装置本体手前側に突出した片持ち梁状に形成されていると共に、該ステーには、当該ステーに前記ケースを固定する前に該ケースを下から支える支持部が設けられていて、該支持部は、前記ステーの固定部よりも該ステーの自由端側に寄った位置に設けられ、かつ当該支持部は、前記ステーに一体に突設された突起により構成されていて、該突起より成る支持部が前記ケースに形成された切欠に係合して、該ケースを下から支え、このとき支持部の下面がケースの下面よりも上方に位置するように、該支持部と切欠が形成されていることを特徴とする画像形成装置。
【請求項２】
前記ケースを支持部に載せる前の当該支持部の高さは、前記画像読取部を組み付けた後の支持部の高さが適正高さとなるように、前記ステーの変形量を見込んだ大きさに設定されている請求項１に記載の画像形成装置。
【請求項３】
前記ステーは、ねじによって前記本体ベースに固定され、該ねじは、本体ベースに形成された溝の底部にねじ込まれている請求項１又は２に記載の画像形成装置。
【請求項４】
前記ねじを締め付けたとき、前記溝の底面に対向するステー部分が弾性変形して、該ステー部分と溝の底面が当接するように、前記溝の深さが設定されている請求項３に記載の画像形成装置。
【請求項５】
前記溝の底面に対向するステー部分に、該溝に収容され、かつ該溝の底面に向けて突出する突部が形成され、前記ねじを締め付けたとき、前記突部が前記溝の底面に当接するように、前記溝の深さが設定されている請求項３に記載の画像形成装置。
【発明の詳細な説明】
【０００１】
【発明の属する技術分野】
本発明は、原稿画像を読み取る画像読取部と、記録シートに記録画像を形成する作像部とを有し、該作像部は前記画像読取部よりも下方に配置され、該画像読取部と作像部との間に、作像部にて記録画像が形成された記録シートを積載するシート積載部が配置されていて、画像形成装置本体手前側のシート積載部領域と、画像形成装置本体幅方向の一方の端部側のシート積載部領域とが開放された状態で、前記画像読取部のケースが本体ベースに固定支持されている画像形成装置に関する。
【０００２】
例えば、複写機、プリンタ、ファクシミリ或いはこれらの複合機などとして構成される上記形式の画像形成装置は従来より周知である。この形式の画像形成装置によれば、作像部において記録画像の形成された記録シートを、画像読取部と作像部との間のシート積載部に排出するので、画像形成装置本体の側部に大きく突出したシート排出トレイ上に記録シートを排出させる画像形成装置に比べ、構造の小型化と、設置スペースの縮小化を達成できる。しかも画像形成装置本体手前側のシート積載部領域と、画像形成装置本体幅方向における一方の端部側のシート積載部領域が開放されているので、シート積載部に排出された記録シートを容易に取り出すことができる。
【０００３】
この種の画像形成装置は、上述の２つのシート積載部領域が開放されているので、画像読取部のケースは、その１つのコーナ部、すなわち画像形成装置本体手前側で、かつ画像形成装置本体幅方向における一方の端部側のコーナ部が、本体ベースによって下から支えられることはない。このため、画像読取部のケースは、その自重によって、上記コーナ部が下方へ変位する向きに大きくねじれた状態に変形するおそれがある。
【０００４】
かかる状態の画像読取部により原稿画像を読み取り、その画像情報に対応した画像を記録シートに形成したとすると、その画像が歪んだ状態となり、画像品質が著しく低下する。
【０００５】
そこで、画像読取部のケースの剛性を高め、該ケースが画像読取部の自重によって実質的に変形しないように構成することが考えられる。ところがこのようにケースを構成するには、そのコストが上昇し、かつその重量が増大する。
【０００６】
そこで、画像形成装置本体の奥側であって、その幅方向一端側の本体ベース部分にステーを固定し、そのステーを、画像形成装置本体手前側に突出する片持ち梁状に形成し、かかるステーに画像読取部のケースを固定すれば、ケースの剛性を過度に高めずとも、当該ケースが大きくねじれ変形する不具合を阻止できる。
【０００７】
ところが、画像形成装置の製造時に、画像読取部のケースをステーに固定する際、その自重によってケースが変形してしまうため、当該ケースを、ステーに対する正しい高さ位置に固定できなくなるおそれがある。
【０００８】
【発明が解決しようとする課題】
本発明は、上記従来の欠点を全て除去した冒頭に記載した形式の画像形成装置を提供することを目的とする。
【０００９】
【課題を解決するための手段】
本発明は、上記目的を達成するため、冒頭に記載した形式の画像形成装置において、前記画像読取部のケースの画像形成装置本体幅方向における一方の端部側の部分が、前記本体ベースに固定されたステーに固定支持され、該ステーは、本体ベースに固定された固定部から画像形成装置本体手前側に突出した片持ち梁状に形成されていると共に、該ステーには、当該ステーに前記ケースを固定する前に該ケースを下から支える支持部が設けられていて、該支持部は、前記ステーの固定部よりも該ステーの自由端側に寄った位置に設けられ、かつ当該支持部は、前記ステーに一体に突設された突起により構成されていて、該突起より成る支持部が前記ケースに形成された切欠に係合して、該ケースを下から支え、このとき支持部の下面がケースの下面よりも上方に位置するように、該支持部と切欠が形成されていることを特徴とする画像形成装置を提案する（請求項１）。
【００１０】
その際、前記ケースを支持部に載せる前の当該支持部の高さは、前記画像読取部を組み付けた後の支持部の高さが適正高さとなるように、前記ステーの変形量を見込んだ大きさに設定されていると有利である（請求項２）。
【００１１】
また、上記請求項１又は２に記載の画像形成装置において、前記ステーは、ねじによって前記本体ベースに固定され、該ねじは、本体ベースに形成された溝の底部にねじ込まれていると有利である（請求項３）。
【００１２】
さらに、上記請求項３に記載の画像形成装置において、前記ねじを締め付けたとき、前記溝の底面に対向するステー部分が弾性変形して、該ステー部分と溝の底面が当接するように、前記溝の深さが設定されていると有利である（請求項４）。
【００１３】
また、上記請求項３に記載の画像形成装置において、前記溝の底面に対向するステー部分に、該溝に収容され、かつ該溝の底面に向けて突出する突部が形成され、前記ねじを締め付けたとき、前記突部が前記溝の底面に当接するように、前記溝の深さが設定されていると有利である（請求項５）。
【００１４】
【発明の実施の形態】
以下、本発明の実施形態例を図面に従って詳細に説明する。
【００１５】
図１は本例の画像形成装置の各部の配置状態を示す概略垂直断面図であり、図２はその画像形成装置を斜め前方から見た外観斜視図である。ここに示した画像形成装置は複写機と、プリンタと、ファクシミリの機能を備えた複合機として構成され、原稿画像を読み取る画像読取部１と、その画像読取部１の下方に配置された作像部２と、その作像部２に記録シートＳを送り出すシート給送部３とを有している。作像部２は後述するように紙又は樹脂シートなどから成る記録シートＳに記録画像を形成する用をなす。かかる作像部２は、画像読取部１よりも下方に空間を隔てて配置され、画像読取部１と作像部２との間に、作像部２にて記録画像が形成された記録シートＳを積載するシート積載部４が配置されている。画像読取部１、作像部２及びシート給送部３は、装置筐体５によって覆われている。
【００１６】
本例の画像読取部１は、上部が開放したケース６と、そのケー６内に配置されて当該ケース６に支持された各種要素、すなわち光源７と、第１乃至第３ミラー８，９，１０と、結像レンズ１１と、光学変換素子の一例であるＣＣＤ１２とを有している。ケース６の上方には、装置筐体５に固定されたコンタクトガラス１３が配置され、原稿Ｐはコンタクトガラス１３上に載置される。操作部２４（図２）のプリントスタートキーが押下されると、光源７及び第１ミラー８と、第２及び第３ミラー９，１０が図１の右方に移動し、光源７からの光によって原稿Ｐが照明される。これにより原稿Ｐからの反射光は第１乃至第３ミラー８，９，１０で反射し、結像レンズ１１を通ってＣＣＤ１２に至る。このようにして原稿画像がＣＣＤ１２に結像され、これが光電変換される。このように、画像読取部１は、原稿画像を結像する光学系と、その原稿画像が結像される光電変換装置の一例であるＣＣＤ１２と、これらを支持するケース６とを有し、かかる画像読取部１により原稿画像が読み取られる。
【００１７】
一方、作像部２は、像担持体の一例であるドラム状の感光体１４と次に説明する各種要素とを有している。前述のプリントスタートキーの押下に伴って、感光体１４は図１における反時計方向に回転駆動され、このとき帯電装置１５によって感光体表面が所定の極性に帯電され、露光装置の一例であるレーザ書き込みユニット１６からは、前述のように画像読取部１により読み取られた画像情報に応じて光変調されたレーザ光Ｌが出射し、そのレーザ光Ｌが帯電された感光体表面を露光し、これによって感光体表面に静電潜像が形成される。この静電潜像は、現像装置１７を通るとき、現像剤によってトナー像として可視像化され、そのトナー像は、感光体１４に対向して位置する転写装置１８により、後述するように感光体１４と転写装置１８との間の転写部に送り込まれた記録シートＳの表面に転写される。トナー像転写後に感光体表面に残留するトナーはクリーニング装置１９によって除去され、感光体表面の電位は、図示していない除電装置によって初期化される。このようにして作像部２は、画像読取部１により読み取られた画像情報に対応する記録画像を記録シートに形成する。
【００１８】
一方、本例のシート給送部３は、給紙トレイ２０と、その給紙トレイ２０に上下に積み重ねられて収容された記録シートＳを１枚ずつ送り出すシート送り出しローラ２０Ａとを有している。給紙トレイ２０から送り出された記録シートＳは、その搬送経路を通ってレジストローラ対２１に至り、そのレジストローラ対２１の回転によって所定のタイミングで感光体１４と転写装置１８との間の転写部に送り込まれ、その記録シートＳの表面に前述の如くトナー像が転写される。図示していない手差しトレイから記録シートを転写部に給送できるように構成することもできる。
【００１９】
感光体表面からトナー像を転写された記録シートＳは、さらに上方に搬送され、作像部２を構成する感光体１４などの要素よりも上方に配置された定着装置２２を通り、このとき熱と圧力の作用によってトナー像が記録シートＳの表面に定着される。定着装置２２を通過した記録シートＳは、矢印Ｑで示すように、シート積載部４に排出されてここに積載される。シート積載部４は、装置筐体５の一部により形成されたシート載置トレイ２３を有し、このトレイ２３上に記録シートが載置される。
【００２０】
ここで、図２に示すように、通常、画像形成装置を操作するオペレータが向き合う画像形成装置本体側、すなわち一般に操作部２４が設けられる側が画像形成装置本体手前側Ｆｒであり、これとは反対の側が奥側Ｒとなる。またその前後の方向に直交する方向が画像形成装置本体の幅方向Ｗである。
【００２１】
図２から判るように、画像形成装置本体手前側Ｆｒのシート積載部領域Ａ１と、画像形成装置本体幅方向Ｗにおける一方の端部側のシート積載部領域Ａ２は開放されている。これに対し、画像形成装置本体幅方向Ｗにおける他方の端部側のシート積載部領域Ａ３と、奥側のシート積載部領域は、装置筐体５によって閉鎖されている。図１から判るように、定着装置２２を通った記録済みの記録シートは、画像形成装置本体幅方向Ｗにおける他方の端部側の排出部からシート積載部４に排出される。開放されたシート積載部領域Ａ２と反対の端部側から記録シートがシート積載部４に排出されるのである。
【００２２】
前述のように、シート積載部４は、画像読取部１と作像部２の間に配置され、かかるシート積載部４に記録シートが胴内排出されて積載されるので、画像形成装置本体の側方に大きく張り出したシート排出トレイ上に記録シートを排出させる画像形成装置に比べ、画像形成装置の全体構造を小型化でき、小さなスペースに画像形成装置を配置することができる。しかも、シート積載部４の手前側の領域Ａ１と一方の端部側の領域Ａ２とが開放されているので、シート積載部４のシート載置トレイ２３上の記録シートを手で容易に取り出すことができる。
【００２３】
図３は、画像読取部１のケース６と、本体ベース２５（図１には示さず）を簡略化して示す斜視図であり、図３では、画像読取部１の他の要素の図示は省略してある。本体ベース２５は、底壁２５Ａと、側壁２５Ｂを有し、その底壁に、画像形成装置の各種要素が支持されている。図示した例では、図１に示した作像部２を構成する感光体１４やレーザ書き込みユニット１６などの各種要素、定着装置２２、駆動ユニット２７などが直接又は他の支持要素を介して本体ベース２５に支持されている。かかる本体ベース２５は、例えば樹脂成形品より成る。
【００２４】
駆動ユニット２７は、そのケーシング２８内に収納された図示していないモータやギアを有し、感光体１４や定着装置２２などを駆動する用をなす。かかる駆動ユニット２７は、そのケーシング２８が、奥側Ｒの本体ベース部分上に、例えばねじによって固定されている。
【００２５】
本体ベース２５の底壁２５Ａよりも下方の空間Ｓ１に、図１に示した給紙トレイ２０が着脱可能に装着され、この底壁２５Ａには、給紙トレイ２０から送り出された記録シートＳが通る開口２６が形成されている。
【００２６】
また、画像読取部１のケース６も、例えば次のようにして本体ベース２５に固定支持されている。
【００２７】
図３に示すように、ケース６の底壁６Ａには、取付孔２９Ａ乃至２９Ｄが形成され、その側壁６Ｂにも取付孔２９Ｅ及び２９Ｆがそれぞれ形成されている。一方、本体ベース２５は、奥側Ｒで、かつ幅方向一端側Ｅ１の底壁部分に位置する支柱３０を有し、この支柱３０は底壁２５Ａから上方に突出している。かかる支柱３０は、底壁２５Ａに一体に成形されるか、又は図示していない固着手段によって底壁２５Ａに固着される。支柱３０には、後に詳しく説明するステー３１が固定されている。
【００２８】
また、本体ベース２５には、その手前側Ｆｒで、かつ幅方向他端側Ｅ２の部位に、上方に突出するスタッド３２が固着されている。
【００２９】
スタッド３２と、駆動ユニット２７のケーシング２８と、支柱３０の各上面と、ステー３１には、取付孔３３Ａ乃至３３Ｆがそれぞれ形成されている。ケース６を本体ベース２５に固定するには、ケース６の底壁６Ａをスタッド３２と駆動ユニット２７と支柱３０の上面に載せ、その側壁６Ｂをステー３１の取付面３１Ａに合せ、ケース６に形成された各取付孔２９Ａ乃至２９Ｆを、スタッド３２、ケーシング２８、支柱３０及びステー３１に形成された取付孔３３Ａ乃至３３Ｆにそれぞれ合致させてケース６を仮置き状態にする。次いで、図３に矢印Ａ乃至Ｆで示すように、その合致した取付孔にねじ３４Ａ乃至３４Ｆをそれぞれねじ込んで、ケース６を本体ベース２５に固定する。これにより、ケース６は、ステー３１、駆動ユニット２７及びスタッド３２を介して、本体ベース２５に固定支持されると共に、その支柱３０に固定される。
【００３０】
上述のように、画像読取部１のケース６の画像形成装置本体幅方向Ｗにおける一方の端部側Ｅ１の部分、図示した例ではその側壁６Ｂが、本体ベース２５の支柱３０に固定されたステー３１に固定支持される。このステー３１は、本体ベース２５の支柱３０に固定された固定部３１Ｂから画像形成装置本体手前側Ｆｒに突出した片持ち梁状に形成され、その突出した部分３１Ｃの取付面３１Ａにケース６が固定されるので、一方の端部側Ｅ１のケース部分を強固に支持することができる。画像形成装置本体手前側Ｆｒであって、かつ画像形成装置本体幅方向Ｗの一方の端部側Ｅ１のケースコーナ部３５は、本体ベース２５によって、そのケースの下方から支持されてはいないが、ケース６を、上述のように、ステー３１を介して本体ベース２５に支持することにより、ケース６のコーナ部３５が自重によって大きく下方に変位することを阻止できる。
【００３１】
上述のようにして、画像形成装置本体手前側Ｆｒのシート積載部領域Ａ１と、画像形成装置本体幅方向Ｗの一方の端部側Ｅ１のシート積載部領域Ａ２とが開放された状態で、画像読取部１のケース６が本体ベース２５に固定支持される。
【００３２】
なお、本例のステー３１は、支柱３０とは別の部材となっていて、当該ステー３１が、後述するように、ねじによって支柱３０に固定されるように構成されているが、ステー３１を支柱３０と一体に成形して、これらを１つの部材として構成することもできる。ステー３１を本体ベース２５と一体の成形品として構成することもできるのである。
【００３３】
ところで、前述のように、ケース６をケーシング２８とスタッド３２と支柱３０の上面に載せ、ケース６の側壁６Ｂをステー３１の取付面３１Ａに合せてケース６を仮置き状態にした時、ケーシング２８とスタッド３２と支柱３０の上に載ったケース部分は、その下から、ケーシング２８、スタッド３２及び支柱３０により支持されるので、当該ケース部分を適正な高さ位置に保持することができる。
【００３４】
ところが、上述した構成だけであると、ケース６の側壁６Ｂはステー３１の取付面３１Ａに対向しているだけであるため、ステー３１によって下から支持されることはなく、従ってケース６のコーナ部３５が画像読取部１の自重によって下方に下がってしまう。この状態でケース６を前述のようにねじ３４Ａ乃至３４Ｆにより本体ベース２５に対して固定したとすれば、ケース６がねじれた状態で本体ベース２５に固定されることになる。
【００３５】
そこで、図３及び図４に示すように、ステー３１には、そのステー３１にケース６を固定する前に、該ケース６を下から支える支持部３６が設けられている。図示した例では、ステー３１の部分３１Ｃに一体に突設された突起により支持部３６が構成され、その突起より成る支持部３６が、ケース６に形成された切欠３７に係合して該ケース６を下から支え、ケース６の高さ位置を規制するように構成されている。その際、図４から明らかなように、切欠３７の高さの方が、支持部３６の上下方向の厚さよりも大きく形成されているので、支持部３６が、切欠３７に係合して、ケース６を下から支えたとき、支持部３６の下面は、ケース６の下面よりも上方に位置する。このような位置関係が得られるように、支持部３６と切欠３７が形成されているのである。支持部３６は、ステー３１の固定部３１Ｂよりもステー３１の自由端側に寄った位置に設けられており、従ってこの支持部３６によってケース６のコーナ部３５ないしはその近傍の部分を下から支えることができる。
【００３６】
上述のように、ケース６を本体ベース２５に対して仮置きしたとき、そのケース６を支持部３６によって下から支えるので、画像読取部１の自重によりそのケース６のコーナ部３５が下方に大きく下がる向きに、該ケース６が変形することを阻止できる。従って、この状態でケース６をねじにより本体ベース２５に対して固定すれば、画像読取部１の全体を適正な高さ位置で水平状態に保持することができる。このようにして、画像読取部１により、原稿画像を正しく読み取り、高品質な記録画像を記録シートに形成することが可能となる。
【００３７】
上述のように、支持部３６によってケース６の高さ位置を規制することができるが、本例の支持部３６は、前述のようにステー３１の固定部３１Ｂよりもステー３１の自由端側に寄った位置に設けられているので、この支持部３６にケース６を載せたとき、画像読取部１の重量によって、ステー３１自体が、図３に矢印Ｇで示す向きにわずかに弾性変形する。
【００３８】
そこで、本例の画像形成装置においては、ケース６を支持部３６に載せる前の、底壁２５Ａから支持部３６までの高さＨを、この支持部３６にケース６を載せたときに生じるステー３１の変形量を見込んで、適正高さよりも多少大きく設定してある。このようにすれば、画像読取部１の重量によりステー３１が変形したときに支持部３６が適正な高さとなり、組み付けられた画像読取部１のケース６を水平状態に保持することができる。例えば、ケース６を載せる前の支持部３６の高さＨを、適正な高さよりも０．４５mmだけ高く設定するのである。
【００３９】
上述のように、ケース６を支持部３６に載せる前の当該支持部３６の高さＨを、画像読取部１を組み付けた後の支持部３６の底壁２５Ａから高さが適正高さとなるように、ステー３１の変形量を見込んだ大きさに設定することにより、ケース６がねじれた状態で取り付けられる不具合をより確実に除去でき、高品質な記録画像得ることができる。
【００４０】
図５は、ステー３１が支柱３０に固定される前の様子を示し、図６はステー３１が支柱３０に固定された後の状態を示している。これらの図に示した例では、ねじ３８が、ステー３１の固定部３１Ｂに形成された取付孔３９に挿通され、支柱３０に形成されたねじ孔４０にねじ込まれて締め付けられ、これによってステー３１が本体ベース２５の支柱３０に固定される。その際、図６から明らかなように、本体ベース２５の支柱３０に溝４１が形成され、その溝４１の底部にねじ孔４０が形成され、ねじ３８が当該溝４１の底部にねじ込まれている。
【００４１】
図７に示すように、本体ベース２５に溝を形成せずに、その本体ベース２５の支柱３０とステー３１とをねじ３８によって固定してもよいが、このようにすると、ねじ３８の近傍のステー部分４２は支柱３０の面に強く圧接するが、ねじ３８から離れたステー部分４３と支柱３０との圧接力が弱まり、これらの間に微小な隙間ができることがある。このようになると、ステー３１と支柱３０との間に生じる摩擦力が低下し、ステー３１に加えられる荷重の多くがねじ３８に作用し、当該ねじ３８が変形して、ステー３１がわずかに下方に変位するおそれがある。
【００４２】
これに対し、図６に示すように本体ベース２５に溝４１を形成すると、その溝４１の底部にねじ３８をねじ込んで締め付けたとき、ねじの締め付け力がステー３１と支柱３０の当接面全体に分散し、これらがその当接面全体に亘って密着して強く摩擦係合するようになる。このため、ステー３１が、支柱３０との当接面の全体によっても支持されるようになり、ねじ３８に加えられる荷重が、図７の場合に比べて小さくなる。これにより、ねじ３８の変形を防止でき、ステー３１が下方に変位する不具合を阻止でき、画像読取部１を常に水平状態に維持して、原稿画像を正しく読み取ることが可能となる。
【００４３】
上述のように溝４１を設けると、ステー３１の支持安定性を高めることができるが、その反面、図８に示すように、ねじ３８を強く締め付けたとき、その力によってステー３１が溝４１に大きく入り込むように変形することがあり、このようになるとステー３１の支持安定性がかえって悪化する。
【００４４】
そこで、図９に示すように、ねじ３８を締め付けたとき、溝４１の底面に対向するステー部分４４が弾性変形して、そのステー部分４４と溝４１の底面とが当接するように、溝の深さｄを設定することが好ましい。この深さｄは、例えば０．５mm程度である。このように構成すれば、ねじ３８を強く締め付けたときも、ステー部分４４が或る程度、変形したところで、この部分４４が溝４１の底面に突き当るので、それ以上ステー部分４４が変形することはなく、ステー３１の支持安定性が悪化することを阻止できる。
【００４５】
同様に、図１０に示すように、溝４１に対向するステー部分４４に、その溝４１に収容され、かつ該溝４１の底面に向けて突出する突部４５を形成し、ねじ３８を強く締め付けたとき、突部４５が溝４１の底面に当接するように、溝４１の深さを設定してもよい。ステー部分４４が変形しないときの突部４５と溝４１の底面との間の間隔は、この場合も例えば０．５mm程度に設定される。この構成によっても、ねじ３８を強く締め付けたとき、突部４５が溝４１の底面に突き当るので、ステー３１のステー部分４４が過度に変形することはなく、ステー３１の支持安定性が悪化することを阻止できる。
【００４６】
本発明は、複合機以外の画像形成装置、例えばディジタル複写機、プリンタ、ファクシミリ或いは印刷機などの画像形成装置にも広く適用できるものである。
【００４７】
【発明の効果】
請求項１に係る発明によれば、画像読取部が大きくねじれた状態に変形することを阻止でき、これによって原稿画像を正しく読み取り、高品質な記録画像を形成することができる。
【００４８】
請求項２乃至５に係る発明によれば、上記効果をより一層確実なものにすることができる。
【図面の簡単な説明】
【図１】画像形成装置の概略垂直断面図である。
【図２】画像形成装置の外観斜視図である。
【図３】本体ベースと画像読取部のケースを簡略化して示した斜視図である。
【図４】支持部と、一部を破断して示したケースの斜視図である。
【図５】ステーを本体ベースの支柱に固定する前の様子を示す斜視図である。
【図６】ステーを支柱に固定した状態を示す断面図である。
【図７】溝が形成されていない支柱にステーを固定したときの断面図である。
【図８】ねじを締め付けたとき、溝に対向するステー部分が過度に変形した状態を示す断面図である。
【図９】ねじを締め付けたとき、溝の底面にステー部分が当接した状態を示す断面図である。
【図１０】ステーに突部を設けた例を示す断面図である。
【符号の説明】
１  画像読取部
２  作像部
４  シート積載部
６  ケース
２５  本体ベース
３１  ステー
３１Ｂ  固定部
３６  支持部
３７  切欠
３８  ねじ
４１  溝
４４  ステー部分
４５  突部
Ａ１  シート積載部領域
Ａ２  シート積載部領域
ｄ  深さ
Ｅ１  一方の端部側
Ｆｒ  画像形成装置本体手前側
Ｈ  高さ
Ｓ  記録シート
Ｗ  画像形成装置本体幅方向
【図１】
0004010437.tif 000002
【図２】
0004010437.tif 000003
【図３】
0004010437.tif 000004
【図４】
0004010437.tif 000005
【図５】
0004010437.tif 000006
【図６】
0004010437.tif 000007
【図７】
0004010437.tif 000008
【図８】
0004010437.tif 000009
【図９】
0004010437.tif 000010
【図１０】
0004010437.tif 000011